(57)【要約】【課題】映像信号のフォーマットとは異なる要因による映像表示の不具合を復旧して適正な映像表示を行う。【解決手段】映像信号を生成して出力する映像出力部２と、上記映像出力部２からの映像信号に基づいて映像を表示する映像表示部１とを備え、上記映像出力部２は、上記映像信号を生成する映像処理部１０と、上記映像処理部１０によって上記映像信号が変更された要因に係わる変更情報を記憶する出力側記憶部１１と、上記映像処理部１０によって上記映像信号が変更された場合に、上記変更の要因に係わる変更情報を上記出力側記憶部１１に記憶させる変更情報記憶動作部１２とを備えている。【選択図】図１
2015055701.tif 000002
【特許請求の範囲】
【請求項１】
映像信号を生成して出力する映像出力部と、
上記映像出力部からの映像信号に基づいて映像を表示する映像表示部と
を備え、
上記映像出力部は、
上記映像信号を生成する映像処理部と、
上記映像処理部によって上記映像信号が変更された要因に係わる変更情報を記憶する出力側記憶部と、
上記映像処理部によって上記映像信号が変更された場合に、上記変更の要因に係わる変更情報を上記出力側記憶部に記憶させる変更情報記憶動作部と
を備えている
ことを特徴とする表示装置。
【請求項２】
請求項１に記載の表示装置において、
上記映像表示部は、
上記映像信号に基づいて映像を表示する表示部と、
上記表示されている映像の状態が正常であるか否かを判定し、正常でない場合には表示不可情報を上記映像出力部に送出する状態判定部と、
を備える一方、
上記映像出力部は、
上記映像表示部から送出されてくる上記表示不可情報に基づいて上記出力側記憶部に記憶された上記変更情報を参照し、上記変更情報に係わる上記映像信号が変更された要因を解消して、正常な表示が行われていた直近の上記映像信号に戻すことによって、上記映像信号の復旧を行う映像信号復旧動作部と
を備えている
ことを特徴とする表示装置。
【請求項３】
請求項２に記載の表示装置において、
上記映像表示部に設けられると共に、ユーザによって操作されて、上記状態判定部に対して、強制的に上記表示不可情報を送出させる指示を行う表示側ユーザ操作部と、
上記映像出力部に設けられると共に、ユーザによって操作されて、上記映像信号復旧動作部に対して、強制的に上記映像信号を復旧させる指示を行う出力側ユーザ操作部と
のうちの少なくとも何れか一方を備えていることを特徴とする表示装置。
【請求項４】
請求項２あるいは請求項３に記載の表示装置において、
上記映像出力部に設けられると共に、上記映像信号復旧動作部による上記映像信号の復旧が行われると、上記映像表示部の上記表示部に、上記解消された要因を含む復旧内容を表示させる復旧内容表示動作部を備えていることを特徴とする表示装置。
【発明の詳細な説明】
【技術分野】
【０００１】
この発明は、映像表示の不具合を復旧して適正な映像表示を行うことが可能な表示装置に関する。
【背景技術】
【０００２】
表示画面を有する装置や、表示用の装置に接続することによって映像の表示を可能にする装置において、映像の表示は、映像信号の出力側と入力側である表示側(ディスプレイやモニタ)との間で表示のために必要なデータの送受を行って、自動的に適切な映像表示が行われる。
【０００３】
表示されるコンテンツ等によって映像が変更される場合も、上記出力側が上記表示側で表示するのに適した映像信号を出力することによって、上記表示側も自動的に映像の変更を認識して映像を表示することができる。
【０００４】
例えば、ＶＥＳＡ(Video Electronics Standards Association)において規定されているディスプレイとの接続規格のＥＤＩＤ(Extended Display Identification Data)/ＤＤＣ(Display Data Channel)等の機能では、表示側には表示可能な周波数および解像度等の表示に関する情報が格納されており、映像信号の出力側は、この表示側の情報を読み取って表示に適した映像信号を出力するようにしている。
【０００５】
ところが、何らかの理由で、表示側で表示ができなくなる場合がある。そのような場合に対応可能な装置として、特開２０１２‐５４７００号公報(特許文献１)に開示された表示装置がある。
【０００６】
上記特許文献１に開示された従来の表示装置においては、何らかの理由で表示ができなくなった場合、表示側が表示可能な範囲で映像信号の出力フォーマットを順次変更していき、表示可能な映像信号を自動的にサーチすることで表示を維持するようにしている。
【０００７】
すなわち、コンピュータ側の接続検出部が受信したディスプレイ装置の接続状態を示すＨＰＤ信号が閾値以上の電圧の場合であって、上記ディスプレイ装置からのエラーコードが「原因不明」および「表示不可能解像度」の場合には、メモリに格納された解像度テーブルから解像度を選出する際の変数Ｘを「１」インクリメントし、「規格外同期信号」の場合にはリフレッシュレートを「１Ｈz」減らして、映像信号を生成してディスプレイ装置に送信する。この動作を表示可能になるまで繰り返すのである。
【０００８】
しかしながら、上記従来の表示装置においては、以下のような問題がある。
【０００９】
すなわち、表示側で表示できている状態から表示できない状態になる理由が、単に映像信号のフォーマットが正しくなくなった場合であれば、上記従来の表示装置によって修正可能である。しかしながら、通常、表示側で表示できなくなる要因は、映像信号のフォーマットの他にも、例えば「動画を再生した」や「ゲームを起動した」等が存在しする。その場合には、そのような映像信号のフォーマットとは異なる他の要因を取り除く必要がある。ところが、上記従来の表示装置では、上述のような他の要因を取り除くことはできないのである。
【００１０】
また、表示側で受信した映像信号が上記表示側で表示可能な映像信号であるにも拘らず期待された映像を表示できない場合は、上記従来の表示装置では、自動的に判別して復旧することはできないという問題もある。
【先行技術文献】
【特許文献】
【００１１】
【特許文献１】特開２０１２‐５４７００号公報
【発明の概要】
【発明が解決しようとする課題】
【００１２】
そこで、この発明の課題は、映像信号のフォーマットとは異なる要因による映像表示の不具合を復旧して適正な映像表示を行うことが可能な表示装置を提供することにある。
【課題を解決するための手段】
【００１３】
上記課題を解決するため、この発明の表示装置は、
映像信号を生成して出力する映像出力部と、
上記映像出力部からの映像信号に基づいて映像を表示する映像表示部と
を備え、
上記映像出力部は、
上記映像信号を生成する映像処理部と、
上記映像処理部によって上記映像信号が変更された要因に係わる変更情報を記憶する出力側記憶部と、
上記映像処理部によって上記映像信号が変更された場合に、上記変更の要因に係わる変更情報を上記出力側記憶部に記憶させる変更情報記憶動作部と
を備えている
ことを特徴としている。
【発明の効果】
【００１４】
以上より明らかなように、この発明の表示装置は、上記映像処理部によって上記映像信号が変更された場合に、上記変更情報記憶動作部によって、上記出力側記憶部に、上記変更の要因に係わる変更情報を記憶させるようにしている。したがって、上記映像信号の変更によって、上記映像表示部で表示されている映像の状態が正常でなくなった場合に、上記出力側記憶部に記憶されている上記変更情報に係わる上記映像信号の変更の要因を解消して、上記映像信号の復旧を行うことが可能になる。
【００１５】
すなわち、上記映像信号のフォーマットとは異なる要因による映像表示の不具合を復旧して、適正な映像表示を維持することが可能になる。
【図面の簡単な説明】
【００１６】
【図１】この発明の表示装置におけるブロック図である。
【図２】図１における出力側記憶部の記憶情報の一例を示す図である。
【図３】図１における映像表示部および映像出力部で実行される映像表示復旧処理動作のフローチャートである。
【図４】映像復旧と復旧内容との表示例を示す図である。
【図５】図３とは異なる映像表示復旧処理動作のフローチャートである。
【発明を実施するための形態】
【００１７】
以下、この発明を図示の実施の形態により詳細に説明する。
【００１８】
・第１実施の形態
図１は、本実施の形態の表示装置におけるブロック図を示す。本表示装置は、外部からの映像信号に基づいて映像を表示する映像表示部１と、この映像表示部１に映像信号を送出して映像の表示を行わせる映像出力部２とで、概略構成されている。
【００１９】
上記映像表示部１は、上記映像出力部２と通信路３を介して通信を行うと共に、映像出力部２からの映像信号を受信する表示側通信部４と、受信された映像信号に基づいて表示画面等に映像を表示する表示部５を有している。また、状態判定部６は、表示部５で表示されている映像が正常であるか否かを判定する。そして、正常な映像が表示されていない場合には、表示されていないことを、表示側通信部４を介して映像表示部２に送信する。また、表示側記憶部７には、映像表示部１が処理可能な映像フォーマット情報が格納されている。この映像フォーマット情報は映像出力部２に送出され、映像信号を生成する際に利用される。
【００２０】
制御部８は、上記表示側通信部４,表示部５,状態判定部６および表示側記憶部７を制御して、表示部５への映像表示および後に詳述する映像表示復旧処理動作等を実行する。
【００２１】
上記映像出力部２は、上記映像表示部１と通信路３を介して通信を行うと共に、映像表示部１に映像信号を送信する出力側通信部９と、映像表示部１の表示側記憶部７から読み出された映像フォーマット情報に基づいて適切な映像信号を生成し、出力側通信部９を介して映像表示部１に送信する映像処理部１０とを有している。また、出力側記憶部１１には、映像信号が変更される事象を引き起こした要因として変更・操作等が記憶される。上記変更・操作等としては、例えば、ウィンドウ表示されていたコンテンツをフル画面表示に切り替えたり、動画アプリケーションを起動して動画を再生したこと等が想定される。
【００２２】
管理部１２は、映像出力部２の全体的な管理・制御を行う。そして、上術のような映像信号の変更を伴う操作が行われたことを判断・認識した場合には、その変更の要因に係わる情報を変更情報として情報番号を付して出力側記憶部１１に記録する。さらに、必要であれば変更前の情報も付加する。
【００２３】
図２に、上記出力側記憶部１１における記憶情報の一例を示す。図２では、最新の情報１〜最古の情報ｎまでの情報が記憶されている。さらに、情報１は、「変更情報」と「変更前情報」とから成り、変更情報として、「アプリケーションＡの起動」と「動画Ａの再生」とが記憶されている。また、変更前情報として、「映像信号の解像度」と「映像信号の周波数」と「映像信号の色数」等の映像信号のフォーマット情報が記憶されている。また、図２においては、複数の情報１〜情報ｎが時系列に記憶されており、一度映像信号の復旧が行われて最新の情報１が消去された場合には、情報２が最新の情報となる。
【００２４】
したがって、新たな記憶情報の記憶がない状況で、つまり最新の情報１が消去された状況で、正常な映像が表示されていない場合には、その時点で最新の情報２を用いて映像信号の復旧を試みることが可能になる。
【００２５】
尚、上記映像表示部１に設けられた表示側スイッチ１３、および、映像出力部２に設けられた出力側スイッチ１４は、映像表示部１で受信した映像信号が映像表示部１で表示可能な映像信号であるにも拘らず正しく映像が表示されない場合に、ユーザによって押下されるスイッチである。
【００２６】
上記映像表示部１における表示部５の画面に正常な映像が表示されない場合として、以下のような場合がある。
（１）映像出力部２から、映像表示部１が表示できない周波数や解像度等の映像信号を出力している場合である。この場合は、映像表示部１は映像信号を受信していることを認識しているが、正常な映像を表示することができない。
（２）映像表示部１は表示可能な映像信号を受信しているにも拘わらず正しい映像が表示されていない場合である。この場合は、映像表示部１は正しい映像が表示されていないことを認識することはできない。しかしながら、ユーザが直接画面を見ることで認識することができる。
【００２７】
上記映像表示部１の画面に正常な映像が表示されないことの解決方法としては、適切な映像信号に修正するのみではなく、画面に映像が映らなくなった要因をも解消する(つまり、以前に表示できていた状態に戻す)必要がある。具体的には、新たに起動したアプリケーションプログラムを終了することや、再生を開始した映画を終了すること等がある。
【００２８】
上記(１)の場合の解決方法は、映像表示部１は映像信号を受信していることを認識しているので、映像表示部１から映像出力部２に正常な映像が表示されていないことを伝え、映像出力部２で表示されなくなる直前の状態に戻すことである。
【００２９】
一方、上記(２)の場合には、映像表示部１は正しい映像が表示されていないことを認識していないので、そのことを映像出力部２に伝えることができない。そこで、上記(２)の場合の解決方法としては、ユーザが手動で復旧させる必要がある。尚、手動で復旧させる場合には、通常は、画面上に表示されるＵＩ(ユーザインタフェース：User Interface)によって復旧させるのであるが、画面が正しく表示されていないこの場合では、物理的なスイッチを押す等によって復旧させる。
【００３０】
本実施の形態においては、上記(１)の場合の解決方法について述べ、上記(２)の場合の解決方法については第２実施の形態で述べる。
【００３１】
図３は、上記映像表示部１および映像出力部２で実行される、映像表示の不具合を復旧して適正な映像表示を行う映像表示復旧処理動作のフローチャートを示す。尚、図３(a)は映像表示部１による動作のフローチャートであり、図３(b)は映像出力部２による動作のフローチャートである。
【００３２】
先ず、図３(a)に従って、上記映像表示部１の制御部８による制御の下に行われる映像表示復旧処理動作について説明する。映像表示部１が起動されると、映像表示復旧処理動作がスタートする。
【００３３】
ステップＳ1で、予め上記表示側記憶部７に格納されている表示可能な映像フォーマット情報等を含む初期設定情報を、表示側通信部４を介して映像出力部２側へ送信する、初期設定が行われる。
【００３４】
ステップＳ2で、上記表示側通信部４によって、映像出力部２から通信路３を介して送信されてくる映像信号が受信される。ステップＳ3で、表示部５によって、上記受信された映像信号に基づいて画面に映像が表示される。
【００３５】
ステップＳ4で、上記状態判定部６によって、上記受信された映像信号の内容解析を行い、予め表示側記憶部７に格納されている表示可能な映像フォーマットと比較する、あるいは、表示部５の表示状態を確認することにより、正常に映像が表示されているか否かが判別される。その結果、正常に映像が表示されている場合には、上記ステップＳ2にリターンして、上記ステップＳ2〜ステップＳ4の動作が繰り返される。一方、正常に映像が表示されていない場合には、ステップＳ5に進む。
【００３６】
ステップＳ5で、上記状態判定部６によって、正常に映像が表示されていないことを表す「表示不可情報」が、表示側通信部４を介して映像出力部２側へ送信される。そうした後、上記ステップＳ2にリターンして、上記ステップＳ2〜ステップＳ4の動作が繰り返される。
【００３７】
以上のごとく、上記映像表示部１側では、状態判定部６によって正常に映像が表示されているか否かを判定する。そして、正常に映像が表示されていない場合には、表示不可情報を表示側通信部４を介して映像出力部２側へ送信するようにしている。したがって、正常に映像が表示されていないことを、映像表示部１から映像出力部２へ通知することができる。
【００３８】
次に、図３(b)に従って、上記映像出力部２の管理部１２による管理・制御の下に行われる映像表示復旧処理動作について説明する。映像出力部２が起動されると、映像表示復旧処理動作がスタートする。
【００３９】
ステップＳ11で、図３(a)における上記映像表示部１による映像表示復旧処理動作のステップＳ1において映像表示部１から送信されてくる上記初期設定情報(表示可能な映像フォーマット情報等)が、出力側通信部９によって受信される。そして、管理部１２によって、上記受信された初期設定情報に基づいて、映像表示部１で表示可能であり且つ出力可能な映像フォーマットを決定する初期設定が行われる。ステップＳ12で、さらに管理部１２によって、上記決定した映像フォーマットおよび映像出力部２の状態が、初期状態として出力側記憶部１１に格納される。
【００４０】
ステップＳ13で、上記映像処理部１０によって、管理部１２により設定された映像フォーマット等に基づいて映像信号を生成し、出力側通信部９を介して映像表示部１側に送信される。この送信された映像信号が、映像表示部１による映像表示復旧処理動作のステップＳ2において受信されることにより、映像表示部１の画面に最初の映像が表示されることになる。
【００４１】
ステップＳ14で、上記管理部１２によって、ユーザによる操作等により、表示内容の変更を伴う操作や表示内容の変更が実行された否かが判別される。その結果、実行された場合はステップＳ15に進む一方、実行されない場合には上記ステップＳ13にリターンして、上記生成された映像信号の送信が継続される。
【００４２】
ステップＳ15で、上記出力側記憶部１１に、上記「表示内容の変更を伴う操作」や上記「表示内容の変更」が実行される前の情報(上記変更前情報)、および、上記操作や変更が実行された後の情報(上記変更情報)が、図２に例示されるごとく最新の情報１として格納される。こうして、出力側記憶部１１の記憶情報が更新される。そうした後、上記ステップＳ13にリターンして、上記操作や変更が実行された後の映像フォーマット等に基づいて生成された映像信号が、映像表示部１側に送信される。
【００４３】
すなわち、本実施の形態においては、上記変更情報記憶動作部を、管理部１２によって構成するのである。
【００４４】
ここで、本映像表示復旧処理動作においては、上記ステップＳ13〜ステップＳ15の処理を実行している際に割り込みを受け付けるようになっており、映像表示部１からの正常に映像が表示されていないことを表す表示不可情報が入力されると、その表示不可情報の入力をイベントして以下の割り込み処理を実行するようになっている。
【００４５】
ステップＳ16で、上記映像表示部１による映像表示復旧処理動作のステップＳ5において映像表示部１から送信されてくる上記表示不可情報が、出力側通信部９によって受信される。ステップＳ17で、管理部１２によって、出力側記憶部１１に格納されている上記最新の情報１が参照されて、実行されている操作や変更が取りやめられて、正常に表示が行われていた直近の情報に基づく状態(映像信号)に戻される。例えば、「フル画面表示」に切り替えたコンテンツを「ウィンドウ表示」に戻すことや、開始した「動画アプリケーション」を終了すること等である。また、必要な場合には、最新の情報１における上記変更前情報も使用する。
【００４６】
例えば、上記出力側記憶部１１に、図２に示すように、上記最新の情報１に、上記変更前情報として、映像信号のフォーマット情報を記憶しておくことによって、直前に実行されていた上記変更情報に基づく操作や変更をやめても映像の解像度などが元に戻らない場合には、上記映像信号のフォーマット情報を用いて復旧を行うことが可能になる。
【００４７】
すなわち、本実施の形態においては、上記映像信号復旧動作部を、管理部１２によって構成するのである。
【００４８】
ステップＳ18で、上記映像表示部１の表示部５に、画面に表示されている映像を復旧したことおよびその復旧内容が、図４に例示するように表示される。こうして、映像表示部１側における映像の復旧内容をユーザに認識させる。すなわち、本実施の形態では、上記復旧内容表示動作部を、管理部１２によって構成するのである。
【００４９】
そうした後に、上記ステップＳ15に移行して、出力側記憶部１１の記憶情報が更新される。すなわち、図２において、映像の修復に使用された上記最新の情報１が削除され、上記変更前情報(情報２)が最新情報(情報１)に繰り上げられる。そして、以後は、ステップＳ17において設定された「正常に表示が行われていた直近の情報(例えば、情報２)」あるいは「最新の情報１における上記変更前情報」に基づいて生成された映像信号が、映像表示部１側に送信される。
【００５０】
以上のごとく、上記映像出力部２側では、映像処理部１０によって、表示可能であり且つ出力可能な映像フォーマット等に基づいて生成した映像信号を映像表示部１側に送信することによって、映像表示部１の画面に正常な映像が表示される。この状態で、表示内容の変更を伴う操作や表示内容の変更等を行った際に映像表示部１からの上記表示不可情報を受信すると、この表示不可情報をイベントとして、「実行していた操作や変更を取りやめて、正常な表示が行われた直近の情報に基づく状態(映像信号)に戻す」あるいは「最新の情報１の上記変更前情報を用いて復旧する」割り込み処理を行うようにしている。したがって、正常な映像を表示できなくなった要因を解消して、正常な映像を表示できるように復旧することができる。
【００５１】
すなわち、本実施の形態によれば、上記映像表示部１側で正常な映像を表示できなくなった要因を解消して正常な映像を表示できるように復旧することができ、正常な表示を維持することができる。さらに、映像表示部１によって、映像を復旧したこととその復旧内容とをユーザに提示するので、ユーザが再度「正常な表示ができなくなる操作や変更」を実行することを、事前に防止することができる。
【００５２】
また、上記特許文献１に開示された従来の表示装置では、表示できなくなる要因が映像信号のフォーマットとは異なる他の要因である場合には、リセット等によって装置の再起動を行うしか方法が無い。これに対し、本実施の形態によれば、装置を再起動することなく映像の表示を復旧させることが可能になる。したがって、表示が正常になるだけではなく、正常で無い表示になった時の状態を維持したまま復旧することが可能になる。
【００５３】
・第２実施の形態
本実施の形態における表示装置の構成は、図１に示す上記第１実施の形態の場合と全く同様である。そこで、以下の説明では、図１における部材番号を用いることにする。
【００５４】
本実施の形態においては、上記映像表示部１は表示可能な映像信号を受信しているにも拘わらず正しい映像が表示されていない上記(２)場合の解決方法について述べる。尚、上記(２)場合としては、例えば、映像出力部２の映像処理部１０において処理能力を超えた映像コンテンツを処理したため、映像表示部１の表示部５では意味をなさない画面が表示された。あるいは、ユーザが映像出力部２に対して拡大表示の設定を行ったが、予想より大きく拡大したために、映像表示部１の表示部５における画面全体に、画面の一部のみが表示された等が考えられる。
【００５５】
上述したように、上記(２)の場合には、上記映像出力部２は、映像表示部１で正しい映像が表示されていないことを自動的に認識できないので、ユーザが直接映像を観測することによって認識し、ユーザが手動で復旧させる必要がある。その場合には、図１における映像表示部１の表示側スイッチ１３、あるいは、映像出力部２の出力側スイッチ１４が押下される。すなわち、本実施の形態においては、上記表示側ユーザ操作部を表示側スイッチ１３で構成し、上記出力側ユーザ操作部を出力側スイッチ１４で構成するのである。
【００５６】
図５は、本実施の形態において、上記映像表示部１および映像出力部２で実行される映像表示復旧処理動作のフローチャートを示す。但し、図５(a)は映像表示部１による動作のフローチャートであり、図５(b)は映像出力部２による動作のフローチャートである。
【００５７】
先ず、図５(a)に従って、上記映像表示部１における制御部８による制御の下に行われる映像表示復旧処理動作について説明する。
【００５８】
ステップＳ21〜ステップＳ25は、図３(a)に示す上記第１実施の形態における映像表示部１による動作のステップＳ1〜ステップＳ5と全く同様である。
【００５９】
すなわち、ステップＳ21〜ステップＳ25で、初期設定、映像信号受信、映像表示、正常表示か否かの判定、および、正常表示でない場合の表示不可情報送信が、実行される。
【００６０】
本映像表示復旧処理動作においては、上記ステップＳ22〜ステップＳ25の処理を実行している際に割り込みを受け付けるようになっており、上記映像表示部１の表示側スイッチ１３がユーザによって押下されると、表示側スイッチ１３から出力される押下信号のレベル変化をトリガとして、以下の割り込み処理を実行するようになっている。
【００６１】
ステップＳ26で、上記表示側スイッチ１３からの押下信号のレベル変化が検出される。そうすると、上記割り込み処理として上記ステップＳ25が実行されて、上記表示不可情報が映像表示部１に送信される。
【００６２】
以下、上記映像出力部２側で、上記第１実施の形態の場合と同様にして、実行されている操作や変更が取りやめられて、正常に表示が行われていた直近の情報に基づく状態(映像信号)に戻されるのである。
【００６３】
以上のごとく、上記映像出力部２において映像信号の変更を伴う操作や映像信号の変更が行われた際に、映像信号そのものは表示側記憶部７に格納されている映像フォーマットに合致しているにも拘わらず、映像表示部１において正しい映像が表示されていない場合には、そのことを認識したユーザが映像表示部１の表示側スイッチ１３を押下することによって、上記表示不可情報が映像表示部１に送信される。
【００６４】
こうして、上記映像表示部１が、正しい映像が表示されていないことを認識できない場合であっても、映像出力部２にそのことを通知することができる。したがって、以後、映像出力部２によって、表示画像の復旧を行って適正な画像表示を継続する可能になる。
【００６５】
次に、図５(b)に従って、上記映像出力部２の管理部１２による管理・制御の下に行われる映像表示復旧処理動作について説明する。
【００６６】
ステップＳ31〜ステップＳ38は、図３(b)に示す上記第１実施の形態における映像出力部２による動作のステップＳ11〜ステップＳ18と全く同様である。
【００６７】
すなわち、ステップＳ31〜ステップＳ38で、初期設定、初期状態格納、映像信号送信、表示内容変更が実行されたか否かの判別、出力側記憶部１１の記憶情報更新、表示不可情報受信、正常表示が行われていた直近の情報に基づく状態への戻し、映像復旧と復旧内容との表示が、実行される。
【００６８】
本映像表示復旧処理動作においては、上記ステップＳ33〜ステップＳ38の処理を実行している際に割り込みを受け付けるようになっており、上記映像出力部２の出力側スイッチ１４がユーザによって押下されると、出力側スイッチ１４から出力される押下信号のレベル変化をトリガとして、以下の割り込み処理を実行するようになっている。
【００６９】
ステップＳ39で、上記出力側スイッチ１４からの押下信号のレベル変化が検出される。そうすると、上記割り込み処理として上記ステップＳ37,Ｓ38およびＳ35が実行されて、「実行していた操作や変更を取りやめて、正常な表示が行われていた直近の情報に基づく状態(映像信号)に戻す」処理、および、「表示映像を復旧したこととその復旧内容との表示」が行われる。したがって、正常な映像を表示できなくなった要因を解消して、正常な映像を表示できるように復旧することができる。
【００７０】
以上のごとく、上記映像信号そのものは表示側記憶部７に格納されている映像フォーマットに合致しているにも拘わらず、映像表示部１において正しい映像が表示されていないことを認識したユーザが、映像出力部２の出力側スイッチ１４を押下することによって、映像出力部２にそのことを認識させることができる。したがって、以後、映像出力部２によって、表示画像の復旧を行って適正な画像表示を継続する可能になる。さらに、ユーザが、正しい表示ができなくなる操作や変更を再度実行することを防止することができる。
【００７１】
すなわち、本実施の形態によれば、上記映像表示部１は表示可能な映像信号を受信しているにも拘わらず正しい映像が表示されていない場合であっても、正常な映像を表示できなくなった要因を解消して正常な映像を表示できるように復旧することができ、正常な表示を維持することができるのである。
【００７２】
尚、上記各実施の形態においては、上記映像表示部１と映像出力部２との間で通信路３を介して通信を行う表示装置を例に挙げて説明している。しかしながら、この発明は、これに限定されるものではなく、映像表示部１と映像出力部２とが一体化された表示装置、あるいは、映像表示部１と映像出力部２とが非常に近接して配置された表示装置であっても差し支えない。
【００７３】
但し、上記映像表示部１と映像出力部２とが一体化された場合および非常に近接して配置された場合の表示装置では、表示側スイッチ１３および出力側スイッチ１４の何れか一方のみを設置すれば良い。
【００７４】
しかしながら、上記各実施の形態のごとく、上記映像表示部１と映像出力部２とがケーブルや無線で接続されており、映像表示部１が映像出力部２から離れている場合には、映像表示部１における表示部５の画面を見ているユーザが操作し易い映像表示部１に表示側スイッチ１３を設置する方が利便性に優れている。
【００７５】
また、上記各実施の形態においては、上記表示側ユーザ操作部および上記出力側ユーザ操作部をスイッチ１３,１４で構成しているが、スイッチに限定されるものではない。要は、ユーザによって操作されて、特性が切り替わる信号を出力可能な機構であれば差し支えない。
【００７６】
また、上記各実施の形態においては、上記通信路３の構成および上記通信の媒体について、特に限定するものではない。例えば、通信路３としては、光ファイバー,金属配線,導波路および空間等が想定される。また、上記通信媒体としては、赤外光を含む光,電気,高周波および電波等が想定される。
【００７７】
以上のごとく、この発明の表示装置は、
映像信号を生成して出力する映像出力部２と、
上記映像出力部２からの映像信号に基づいて映像を表示する映像表示部１と
を備え、
上記映像出力部２は、
上記映像信号を生成する映像処理部１０と、
上記映像処理部１０によって上記映像信号が変更された要因に係わる変更情報を記憶する出力側記憶部１１と、
上記映像処理部１０によって上記映像信号が変更された場合に、上記変更の要因に係わる変更情報を上記出力側記憶部１１に記憶させる変更情報記憶動作部１２と
を備えている
ことを特徴としている。
【００７８】
上記構成によれば、上記映像処理部１０によって上記映像信号が変更された場合に、上記変更情報記憶動作部１２によって、上記出力側記憶部１１に、上記変更の要因に係わる変更情報を記憶させるようにしている、したがって、上記映像信号の変更によって、上記映像表示部１で表示されている映像の状態が正常でなくなった場合に、上記出力側記憶部１１に記憶されている上記変更情報に係わる上記映像信号の変更要因を解消して、上記映像信号の復旧を行うことが可能になる。
【００７９】
すなわち、上記映像信号のフォーマットとは異なる要因による映像表示の不具合を復旧して、適正な映像表示を維持することが可能になる。
【００８０】
また、一実施の形態の表示装置では、
上記映像表示部１は、
上記映像信号に基づいて映像を表示する表示部５と、
上記表示されている映像の状態が正常であるか否かを判定し、正常でない場合には表示不可情報を上記映像出力部２に送出する状態判定部６と、
を備える一方、
上記映像出力部２は、
上記映像表示部１から送出されてくる上記表示不可情報に基づいて上記出力側記憶部１１に記憶された上記変更情報を参照し、上記変更情報に係わる上記映像信号が変更された要因を解消して、正常な表示が行われていた直近の上記映像信号に戻すことによって、上記映像信号の復旧を行う映像信号復旧動作部１２と
を備えている。
【００８１】
この実施の形態によれば、上記映像表示部１の上記状態判別部で、映像の状態が正常でない場合には表示不可情報を上記映像出力部２に送出するので、上記映像出力部２側に、映像の状態が正常でないことを自動的に通知することができる。したがって、上記映像出力部２側では、上記映像信号復旧動作部１２によって、上記映像信号のフォーマットとは異なる要因による映像表示の不具合を、自動的に復旧することができる。
【００８２】
また、一実施の形態の表示装置では、
上記映像表示部１に設けられるとともに、ユーザによって操作されて、上記状態判定部６に対して、強制的に上記表示不可情報を送出させる指示を行う表示側ユーザ操作部１３と、
上記映像出力部２に設けられるとともに、ユーザによって操作されて、上記映像信号復旧動作部１２に対して、強制的に上記映像信号を復旧させる指示を行う出力側ユーザ操作部１４と
のうちの少なくとも何れか一方を備えている。
【００８３】
上記映像出力部２において処理能力を超えた映像コンテンツを処理した場合、または、ユーザが上記映像出力部２に対して規格よりも大きな拡大表示の設定を行った場合に、上記映像表示部１には表示可能な映像信号を受信しているにも拘わらず正常な映像が表示されないことがある。その場合は、上記映像表示部１の上記状態判定部は、映像の状態が正常でないことを判定することができず、上記映像出力部２側では、映像表示の不具合を、自動的に復旧することができない。
【００８４】
この実施の形態によれば、上記表示側ユーザ操作部１３と上記出力側ユーザ操作部１４とのうちの少なくとも何れか一方を備えているので、上記状態判定部６に対して、強制的に上記表示不可情報を出力させる指示を行う、あるいは、上記映像信号復旧動作部１２に対して、強制的に上記映像信号を復旧させる指示を行うことができる。
【００８５】
したがって、上記映像表示部１は表示可能な映像信号を受信しているにも拘わらず、正常な映像が表示されない場合であっても、上記映像信号のフォーマットとは異なる要因による映像表示の不具合を復旧することができる。
【００８６】
また、一実施の形態の表示装置では、
上記映像出力部２に設けられると共に、上記映像信号復旧動作部１２による上記映像信号の復旧が行われると、上記映像表示部１の上記表示部５に、上記解消された要因を含む復旧内容を表示させる復旧内容表示動作部１２を
備えている。
【００８７】
この実施の形態によれば、上記映像出力部２の復旧内容表示動作部１２によって、上記映像表示部１の上記表示部５に、上記解消された要因を含む復旧内容を表示するようにしている。したがって、ユーザは、映像の状態が正常でなくなるような上記映像信号の変更の要因を知ることができる。すなわち、ユーザが、正しい表示ができなくなる操作や変更を再度実行することを、防止することが可能になる。
【符号の説明】
【００８８】
１…映像表示部、
２…映像出力部、
３…通信路、
４…表示側通信部、
５…表示部、
６…状態判定部、
７…表示側記憶部、
８…制御部、
９…出力側通信部、
１０…映像処理部、
１１…出力側記憶部、
１２…管理部、
１３…表示側スイッチ、
１４…出力側スイッチ。
【図１】
2015055701.tif 000003
【図２】
2015055701.tif 000004
【図３】
2015055701.tif 000005
【図４】
2015055701.tif 000006
【図５】
2015055701.tif 000007